(57)【要約】【課題】多数の楽曲等から気軽に且つ簡単な操作で視聴することができるとともに、所望の楽曲等を確実に選択し、入手可能な店舗までの案内を受けることが可能なナビゲーション技術を提供する。【解決手段】ナビゲーション装置Ｎが、試聴用データの試聴要求の送信、視聴用データの受信、店舗情報の要求と位置情報の送信、店舗情報の受信を行う通信装置９、試聴用データを再生する再生部４８、ナビゲーションデータ、現在位置及び店舗情報を記憶する外部記憶装置５、店舗情報に対応する店舗を、目的地として経路設定する経路設定部４２を有する。配信サーバ１００は、ナビゲーション装置Ｎからの要求に応じて試聴用データ、店舗情報を配信する。【選択図】図１
2007263920.tif 000002
【特許請求の範囲】
【請求項１】
あらかじめナビゲーションデータ記憶手段に記憶された道路地図データを含むナビゲーションデータに基づいて、移動体が出発地から指定された目的地まで移動する経路を探索及び誘導案内するナビゲーション装置において、
視聴用データの視聴要求を送信する視聴要求送信手段と、
視聴用データを受信する視聴用データ受信手段と、
視聴用データを再生する再生手段と、
移動体の位置に関する位置情報をあらかじめ記憶する位置記憶手段と、
視聴用データを指定するデータ指定手段と、
前記データ指定手段に指定されたデータに対応する記録媒体を入手可能な店舗情報の要求と、位置情報とを送信する店舗情報要求送信手段と、
前記店舗情報要求送信手段から送信した要求に対応する店舗情報を受信する店舗情報受信手段と、
前記店舗情報受信手段が受信した店舗情報を記憶する店舗情報記憶手段と、
前記店舗情報記憶手段に記憶された店舗を、目的地若しくは経由地として設定する経路設定手段と、
を有することを特徴とするナビゲーション装置。
【請求項２】
複数の視聴用データをリスト表示するリスト表示手段と、
リスト表示された視聴用データのうち、視聴要求を行うものを選択するデータ選択手段と、
を有することを特徴とする請求項１記載のナビゲーション装置。
【請求項３】
前記視聴用データは、店舗で入手できる記録媒体に記録されたデータの一部であることを特徴とする請求項１又は請求項２記載のナビゲーション装置。
【請求項４】
あらかじめ楽曲を入手可能な店舗情報を記憶した店舗情報記憶手段と、
視聴用データを記憶する視聴用データ記憶手段と、
所定のナビゲーション装置から送信された視聴要求を受信する視聴要求受信手段と、
視聴要求のあった視聴用データを検索する視聴用データ検索手段と、
前記視聴用データ検索手段によって検索された視聴用データを、視聴要求のあったナビゲーション装置に送信する視聴用データ送信手段と、
当該ナビゲーション装置から送信され、視聴用データに対応するデータが記録された記録媒体を入手可能な店舗情報の要求と、当該ナビゲーション装置からの位置情報とを受信する店舗情報要求受信手段と、
位置情報及び店舗情報に基づいて、要求された記録媒体を入手可能な店舗情報を検索する店舗情報検索手段と、
前記店舗情報検索手段によって検索された店舗情報を、当該ナビゲーション装置へ送信する店舗情報送信手段と、
を有することを特徴とする配信サーバ。
【請求項５】
前記視聴用データは、店舗で入手できる記録媒体に記録されたデータの一部であることを特徴とする請求項４記載の配信サーバ。
【請求項６】
前記店舗情報には、各店舗における記録媒体の在庫状況が含まれており、
前記店舗情報検索手段は、前記在庫情報記憶手段に記憶された在庫状況に基づいて、店舗情報を検索することを特徴とする請求項４又は請求項５記載の配信サーバ。
【請求項７】
コンピュータが、あらかじめ記憶された道路地図データを含むナビゲーションデータに基づいて、移動体が出発地から指定された目的地まで移動する経路を探索及び誘導案内するナビゲーション方法において、
前記コンピュータは、視聴要求送信手段、視聴データ受信手段、再生手段、位置記憶手段、データ指定手段、店舗情報要求送信手段、店舗情報受信手段、店舗情報記憶手段、経路設定手段を有し、
前記視聴要求送信手段が、視聴用データの視聴要求を送信する処理と、
前記視聴データ受信手段が、視聴用データを受信する処理と、
前記再生手段が、視聴用データを再生する処理と、
前記位置記憶手段が、移動体の位置に関する位置情報をあらかじめ記憶する処理と、
前記データ指定手段が、視聴用データを指定する処理と、
前記店舗情報要求送信手段が、前記データ指定手段に指定されたデータに対応する記録媒体を入手可能な店舗情報の要求と、位置情報とを送信する処理と、
前記店舗情報受信手段が、前記店舗情報要求送信手段から送信した要求に対応する店舗情報を受信する処理と、
前記店舗情報記憶手段が、前記店舗情報受信手段が受信した店舗情報を記憶する処理と、
前記経路設定手段が、前記店舗情報記憶手段に記憶された店舗を、目的地若しくは経由地として設定する処理と、
を実行することを特徴とするナビゲーション方法。
【請求項８】
前記コンピュータに、リスト表示手段とデータ選択手段とが設定され、
前記リスト表示手段が、複数の視聴用データをリスト表示する処理と、
前記データ選択手段が、リスト表示された視聴用データのうち、視聴要求を行うものを選択する処理と、
を実行することを特徴とする請求項７記載のナビゲーション方法。
【請求項９】
前記視聴用データは、店舗で入手できる記録媒体に記録されたデータの一部であることを特徴とする請求項７又は請求項８記載のナビゲーション方法。
【請求項１０】
コンピュータが、店舗情報記憶手段が、視聴用データ記憶手段と、視聴要求受信手段と、視聴用データ検索手段と、視聴用データ送信手段と、店舗情報要求受信手段と、店舗情報検索手段と、店舗情報送信手段とを有し、
前記店舗情報記憶手段が、あらかじめ楽曲を入手可能な店舗情報を記憶する処理と、
前記視聴用データ記憶手段が、視聴用データを記憶する処理と、
前記視聴要求受信手段が、所定のナビゲーション装置から送信された視聴要求を受信する処理と、
前記視聴用データ検索手段が、視聴要求のあった視聴用データを検索する処理と、
前記視聴用データ送信手段が、前記視聴用データ検索手段によって検索された視聴用データを、視聴要求のあったナビゲーション装置に送信する処理と、
前記店舗情報要求受信手段が、当該ナビゲーション装置から送信され、視聴用データに対応するデータが記録された記録媒体を入手可能な店舗情報の要求と、当該ナビゲーション装置からの位置情報とを受信する処理と、
前記店舗情報検索手段が、位置情報及び店舗情報に基づいて、要求された記録媒体を入手可能な店舗情報を検索する処理と、
前記店舗情報送信手段が、前記店舗情報検索手段によって検索された店舗情報を、当該ナビゲーション装置へ送信する処理と、
を実行することを特徴とする配信方法。
【請求項１１】
前記視聴用データは、店舗で入手できる記録媒体に記録されたデータの一部であることを特徴とする請求項１０記載の配信方法。
【請求項１２】
前記店舗情報には、各店舗における記録媒体の在庫状況が含まれており、
前記店舗情報検索手段は、前記在庫情報記憶手段に記憶された在庫状況に基づいて、店舗情報を検索する処理を実行することを特徴とする請求項１０又は請求項１１記載の配信方法。
【請求項１３】
コンピュータに、あらかじめ記憶された道路地図データを含むナビゲーションデータに基づいて、移動体が出発地から指定された目的地まで移動する経路を探索及び誘導案内させるナビゲーションプログラムにおいて、
前記コンピュータに、
視聴用データの視聴要求を送信する処理と、
視聴用データを受信する処理と、
視聴用データを再生する処理と、
移動体の位置に関する位置情報をあらかじめ記憶する処理と、
視聴用データを指定する処理と、
指定されたデータに対応する記録媒体を入手可能な店舗情報の要求と、位置情報とを送信する処理と、
送信した要求に対応する店舗情報を受信する処理と、
受信した店舗情報を記憶する処理と、
記憶された店舗を、目的地若しくは経由地として設定する処理と、
を実行させることを特徴とするナビゲーションプログラム。
【請求項１４】
前記コンピュータに、
複数の視聴用データをリスト表示する処理と、
リスト表示された視聴用データのうち、視聴要求を行うものを選択する処理と、
を実行させることを特徴とする請求項１３記載のナビゲーションプログラム。
【請求項１５】
前記視聴用データは、店舗で入手できる記録媒体に記録されたデータの一部であることを特徴とする請求項１３又は請求項１４記載のナビゲーションプログラム。
【請求項１６】
コンピュータに、
あらかじめ楽曲を入手可能な店舗情報を記憶する処理と、
視聴用データを記憶する処理と、
所定のナビゲーション装置から送信された視聴要求を受信する処理と、
視聴要求のあった視聴用データを検索する処理と、
検索された視聴用データを、視聴要求のあったナビゲーション装置に送信する処理と、
当該ナビゲーション装置から送信され、視聴用データに対応するデータに対応する記録媒体を入手可能な店舗情報の要求と、当該ナビゲーション装置の位置情報とを受信する処理と、
位置情報及び店舗情報に基づいて、要求された記録媒体を入手可能な店舗情報を検索する処理と、
前記店舗情報検索手段によって検索された店舗情報を、当該ナビゲーション装置へ送信する処理と、
を実行させることを特徴とする配信プログラム。
【請求項１７】
前記視聴用データは、店舗で入手できる記録媒体に記録されたデータの一部であることを特徴とする請求項１６記載の配信プログラム。
【請求項１８】
前記店舗情報には、各店舗における記録媒体の在庫状況が含まれており、
前記コンピュータに、
記憶された在庫状況に基づいて、店舗情報を検索する処理を実行させることを特徴とする請求項１６又は請求項１７記載の配信プログラム。
【発明の詳細な説明】
【技術分野】
【０００１】
本発明は、例えば、楽曲等の選択とそれを記録した媒体を販売する店舗への案内に改良を施したナビゲーション装置、方法、プログラム、そのための配信サーバ、方法及びプログラムに関するものである。
【背景技術】
【０００２】
自動車などに代表される移動体の現在位置や目的地への経路を自動的に案内する電子機器として、ナビゲーション装置が普及している。このナビゲーション装置は、人工衛星からの電波をＧＰＳ受信機で受けたり、ジャイロセンサーなどを使って、装置が搭載されている移動体の現在位置や現在の日時を計算し、あらかじめ用意された道路地図データに基づいて、現在位置及びその周辺地図を表示しながら、次にどこをどちらに曲がるといった道案内を画面表示や合成音声などで行うものである。
【０００３】
また、現在のナビゲーション装置は多機能化が進んでおり、利用可能な記録媒体はＣＤ、ＤＶＤ、ハードディスク、メモリカード等の多岐に亘り、ディスプレイに表示できる情報には、ＴＶやＤＶＤの動画映像などが含まれる。そして、パーソナルコンピュータと同様の基本構成を備え、接続された通信装置により、電子メール機能や、Ｗｅｂページの閲覧機能等を備えた機器も開発されている。
【０００４】
さらに、例えば、通信装置を介して、ＣＤ等の楽曲の新譜情報として、楽曲のタイトル、アーティスト、ジャンル、ジャケット写真等の配信を受け、これを表示することも行われている。
【０００５】
【特許文献１】特開２００２−３４１８７５号公報
【発明の開示】
【発明が解決しようとする課題】
【０００６】
しかしながら、従来は、ナビゲーション装置において楽曲の試聴はできず、楽曲を知る手がかりとしては、上記のタイトル、アーティスト等しかなかった。また、所望の新譜を店舗へ購入しに行く場合には、自身の把握している店舗まで足を運ぶか、ナビゲーションを利用して、各自で店舗を検索する等によって、目的地に設定する作業が必要となっていた。
【０００７】
特に、ナビゲーション装置が使用される状況は、基本的には移動中であり、この場合に、新譜情報としてタイトルやアーティスト、ジャンル等を得るだけでは、その新譜がどのような曲なのか判断し難いことがある。また、情報を得た場所が不慣れな土地であれば、新譜を入手するために自分で店舗を検索するという手間もかかる。
【０００８】
これに対処するため、特許文献１には、ユーザのリクエストに応じて、音楽データの有料配信を受けるか、その音楽データが記録された媒体を入手できる店舗へ案内する技術も提案されている。そして、サンプリング周波数を低くしてデータ量を少なくしたデータや、制限された聴取期間内での試聴をすることにより、課金額を抑える技術も開示がされている。
【０００９】
しかし、かかる技術は、元となる音楽データの有料配信を前提としており、試聴する場合にも、配信される音楽データと同じデータの送信を受ける必要があるため、試聴時にも課金されてしまう。元の音楽データについてサンプリング周波数を低くしたり、聴取時間を限定して課金額を抑えることも記載されているが、元データに対して、その都度かかる処理を行うことは、負荷が増大する。さらに、リクエストの手法も、ＦＭ多重放送により得たデータや、電子メール、あいまいな語句によるもの等が開示されているが、それぞれ入力の手間がかかるとともに、選曲の確実性に難点がある。
【００１０】
本発明は、上記のような従来技術の問題点を解決するもので、その目的は、多数の楽曲等から気軽に且つ簡単な操作で視聴することができるとともに、所望の楽曲等を確実に選択し、入手可能な店舗までの案内を受けることが可能なナビゲーション装置、方法及びプログラム、配信サーバ、方法及びプログラムを提供することにある。
【課題を解決するための手段】
【００１１】
上記の目的を達成するため、請求項１の発明は、あらかじめナビゲーションデータ記憶手段に記憶された道路地図データを含むナビゲーションデータに基づいて、移動体が出発地から指定された目的地まで移動する経路を探索及び誘導案内するナビゲーション装置において、視聴用データの視聴要求を送信する視聴要求送信手段と、視聴用データを受信する視聴用データ受信手段と、視聴用データを再生する再生手段と、移動体の位置に関する位置情報をあらかじめ記憶する位置記憶手段と、視聴用データを指定するデータ指定手段と、前記データ指定手段に指定されたデータに対応する記録媒体を入手可能な店舗情報の要求と、位置情報とを送信する店舗情報要求送信手段と、前記店舗情報要求送信手段から送信した要求に対応する店舗情報を受信する店舗情報受信手段と、前記店舗情報受信手段が受信した店舗情報を記憶する店舗情報記憶手段と、前記店舗情報記憶手段に記憶された店舗を、目的地若しくは経由地として設定する経路設定手段と、を有することを特徴とする。なお、この発明は、上記の各手段の機能を実現する方法及び各手段の処理をコンピュータに実行させるプログラムとしても捉えることができる。
【００１２】
請求項４の発明である配信サーバは、あらかじめ楽曲を入手可能な店舗情報を記憶した店舗情報記憶手段と、視聴用データを記憶する視聴用データ記憶手段と、所定のナビゲーション装置から送信された視聴要求を受信する視聴要求受信手段と、視聴要求のあった視聴用データを検索する視聴用データ検索手段と、前記視聴用データ検索手段によって検索された視聴用データを、視聴要求のあったナビゲーション装置に送信する視聴用データ送信手段と、当該ナビゲーション装置から送信され、視聴用データに対応するデータが記録された記録媒体を入手可能な店舗情報の要求と、当該ナビゲーション装置からの位置情報とを受信する要求受信手段と、位置情報及び店舗情報に基づいて、要求された記録媒体を入手可能な店舗情報を検索する店舗情報検索手段と、前記店舗情報検索手段によって検索された店舗情報を、当該ナビゲーション装置へ送信する店舗情報送信手段と、を有することを特徴とする。なお、この発明は、上記の各手段の機能を実現する方法及び各手段の処理をコンピュータに実行させるプログラムとして捉えることができる。
【００１３】
以上のような発明では、ナビゲーション装置においては、視聴用としてあらかじめ用意されたデータを受信して、これを視聴すればよいので、ユーザは、課金等の心配がなく、気軽に視聴できる。また、サーバ側でも、視聴用データをあらかじめ用意しておくことにより、送信の都度、データ量の低減処理や視聴時間の計測処理等を行う必要はない。さらに、ユーザは、視聴した後に、所望のものを指定すれば、記録媒体を入手可能な店舗への案内を受けることができる。
【００１４】
請求項２の発明は、請求項１のナビゲーション装置において、複数の視聴用データをリスト表示するリスト表示手段と、リスト表示された視聴用データのうち、視聴要求を行うものを選択するデータ選択手段と、を有することを特徴とする。なお、この発明は、上記の各手段の機能を実現する方法及び各手段の処理をコンピュータに実行させるプログラムとして捉えることができる。
【００１５】
以上のような発明では、ユーザは、リスト表示された中から選択できるので、数多くのデータの中から、簡単且つ確実に所望のものを視聴することができる。
【００１６】
請求項３の発明は、請求項１又は請求項２のナビゲーション装置において、前記視聴用データは、店舗で入手できる記録媒体に記録されたデータの一部であることを特徴とする。
請求項５の発明は、請求項４の配信サーバにおいて、前記視聴用データは、店舗で入手できる記録媒体に記録されたデータの一部であることを特徴とする。
なお、これらの発明は、上記の情報を利用する方法及びプログラムとして捉えることができる。
【００１７】
以上のような発明では、視聴用データを、元のデータの一部に限定することにより、送信するデータ量が少なくなり、ユーザ側も、数多くのデータの中から、次々と切り替えて視聴することができる。
【００１８】
請求項６の発明は、請求項４又は請求項５の配信サーバにおいて、前記店舗情報には、各店舗における記録媒体の在庫状況が含まれており、前記店舗情報検索手段は、前記在庫情報記憶手段に記憶された在庫状況に基づいて、店舗情報を検索することを特徴とする。なお、この発明は、上記の情報を利用する方法及びプログラムとして捉えることができる。
【００１９】
以上のような発明では、在庫状況に応じて、店舗への案内が行われるので、ユーザは、所望の記録媒体を確実に入手可能な店舗まで、容易に辿り着くことができる。店舗側でも、広告的な効果があり、顧客誘導による販売促進に繋がるので、在庫情報を積極的に提供することになる。
【発明の効果】
【００２０】
以上のような本発明によれば、多数の楽曲等から気軽に且つ簡単な操作で視聴することができるとともに、所望の楽曲等を確実に選択し、入手可能な店舗までの案内を受けることができるナビゲーション装置、方法及びプログラム、配信サーバ、方法及びプログラムを提供することができる。
【発明を実施するための最良の形態】
【００２１】
次に、本発明を実施するための最良の形態（以下「実施形態」と呼ぶ）について図面を参照して具体的に説明する。なお、本実施形態は、周辺装置を備えたコンピュータをプログラムで制御することで実現できるが、この場合のハードウェアやプログラムの実現態様は各種変更可能である。また、本発明は、上記のようなプログラム、そのようなプログラムを記録したコンピュータ読取可能な記憶媒体としても把握できる。したがって、以下の説明では、本発明及び本実施形態の各機能を実現する仮想的回路ブロックを用いる。
【００２２】
［１．構成］
［１−１．全体構成］
まず、本実施形態は、図１及び図２に示すように、ナビゲーション装置Ｎ、配信サーバ１００、店舗サーバ２００が、通信ネットワークを介して情報をやり取りできるように構成されている。ナビゲーション装置Ｎにおいては、リストから選択した試聴用データを配信サーバ１００から受信して試聴でき、さらに、この試聴用データのいずれかを指定すると、そのＣＤ、ＭＤ、ＤＶＤ等が入手可能な店舗までの案内を受けることができる。
【００２３】
なお、請求項に記載の視聴用データは、ＣＤ、ＭＤ、ＤＶＤ等のように店舗にて販売される記録媒体に記録された楽曲、映像、音声等について、あらかじめイントロ、サビの部分のみを抜き出したデータ、プロモーション用に作成されたデータ等を意味する。本実施形態では、試し聞きするための楽曲を対象とするので、「試聴用データ」の用語を用いるが、本発明で用いるデータをこれに限定するものではない。
【００２４】
また、通信ネットワークは、多数者が接続可能なネットワークを広く意味するものであり、どのようなＬＡＮ又はＷＡＮを経由するか、有線か無線（ナビゲーション装置Ｎとの間は無線）かは問わない。また、携帯電話等、無線によるネットワークへのアクセスは、基地局との通信が介在することが前提であるが、説明は省略する。
【００２５】
［１−２．ナビゲーション装置Ｎの構成］
まず、図１に示すように、本実施形態のナビゲーション装置Ｎは、一般的な経路探索と誘導案内の機能を発揮するため、絶対位置・方位検出部１、相対方位検出部２、車速検出部３、外部記憶装置５等を備えている。
【００２６】
外部記憶装置５は、ハードディスクなどの大容量記憶装置であって、ナビゲーションデータなど各種データの記録・読出しを行う手段である。ナビゲーションデータには、地図データ及び経路データを含む道路地図データ、施設検索のための検索データ、渋滞情報などを含む交通情報データ等が含まれている。また、車両の自車位置や走行した走行履歴等も記憶される。さらに、本実施形態においては、ダウンロードされた新譜リスト、試聴用データ、最寄店舗情報等が記録される。なお、同様の情報をＣＤやＤＶＤに記録したものや、フラッシュメモリ等も使用できるように、ＣＤ／ＤＶＤ−ＲＯＭ制御部（図示せず）や、メモリカード制御部（図示せず）等も設けられている。
【００２７】
また、メインＣＰＵ及びその周辺回路４は、ナビゲーション装置Ｎの全体を制御する制御回路の役割を果たす部分である。なお、ナビゲーション装置Ｎの動作に必要な各種の記憶手段として、各種ＲＯＭ、ＲＡＭ等のメモリ群を備えているが、常識的であるため、図示を省略する。このようなメモリには、例えば、ユーザや装置を識別する識別情報等が登録されている。本実施形態では、上記のハードディスク、メモリ等によって、請求項のナビゲーションデータ記憶手段、位置記憶手段、店舗情報記憶手段等が構成されているが、いずれのデータについてどのような記憶媒体を用いるかを限定するものではない。
【００２８】
ディスプレイ６は、地図や操作メニューなど各種の情報を、画面に表示する手段である。特に、本実施形態においては、試聴を要求したり、最寄の店舗への案内を要求するための新譜リストが表示される（図４参照）。このディスプレイ６は、請求項のリスト表示手段として機能する。スピーカ７は、音声出力により音声案内を行う手段である。
【００２９】
操作入力部８は、ユーザが各種操作入力を行うためのリモコンユニット、マイク（音声入力を可能とする）、タッチパネル（ディスプレイ６）、フロントパネルに設けられたスイッチ等である。この操作入力部８は、ナビゲーションに必要な入力の他、新譜リストのうちの楽曲の選択・指定、試聴要求、最寄の店舗への案内要求等の入力手段として機能することができる。操作入力部８は、請求項のデータ指定手段、データ選択手段等として機能する。
【００３０】
また、ナビゲーション装置Ｎは、通信装置９を備えている。通信装置９は、携帯電話、ＰＨＳ、ＰＤＡ、無線ＬＡＮ等の端末（カード等も含む）であり、アンテナを介して基地局との送受信を行うことにより、外部のサーバ等との間で情報を送受信可能な通信手段である。この通信装置９は、請求項の視聴要求送信手段、視聴用データ受信手段、店舗情報要求送信手段、店舗情報受信手段等として機能する。なお、ナビゲーション装置Ｎは、交通情報等を受信するＦＭ多重受信部、光／電波ビーコン受信部等も備えているが、図示を省略する。
【００３１】
さらに、メインＣＰＵ及びその周辺回路４は、上記のようなプログラムの作用によって、図１に示す下記の各部分としての役割を実現するように構成されている。すなわち、現在位置検出部４０は、自車位置を逐次計算するための手段である。
【００３２】
目的地設定部４１は、ナビゲーションデータからの施設検索や地図上でのカーソル指定などにより目的地の設定を行う手段である。経路設定部４２は、現在位置検出部４０により検出される現在位置から、目的地設定部４１により設定された目的地に到達するまでの経路を、道路地図データに基づいて計算し、結果として得られた経路を設定する手段である。
【００３３】
また、表示制御部４４は、自車位置及び道路地図データに基づいて、周辺の地図上における自車位置と、算出された経路の少なくとも一部とをディスプレイ６に二次元表示、三次元表示又は他の態様で表示させる手段である。案内制御部４３は、ナビゲーションを実行するための種々の情報を処理するものである。
【００３４】
さらに、メインＣＰＵ及びその周辺回路４は、指定部４５、要求出力部４６、データ取得部４７、再生部４８を有している。指定部４５は、操作入力部８の操作に応じて、新譜リストの中の楽曲の指定、「試聴する」、「最寄の店舗へ行く」等のメニューを指定する手段である。要求出力部４６は、指定された楽曲の試聴用データの要求、店舗情報の要求等を出力する手段である。データ取得部４７は、受信した試聴用データ、店舗情報等を取得する手段である。再生部４８は、試聴用データを再生する手段である。
【００３５】
［１−３．配信サーバ１００の構成］
配信サーバ１００は、図２に示すように、配信センタＳにおいて管理されるサーバであり、通信部１０、データ取得部１１、更新部１２、要求取得部１３、検索部１４、データ出力部１５及びデータベース１６等によって構成されている。通信部１０は、通信ネットワークを介して、ナビゲーション装置Ｎ及び店舗サーバ２００との通信を行う手段であり、請求項の視聴要求受信手段、視聴用データ送信手段、店舗情報要求受信手段、店舗情報送信手段として機能する。データ取得部１１は、各店舗の在庫データ、試聴用の楽曲データの要求・取得を行う手段である。更新部１２は、データ取得部１１が取得したデータによってデータベース１６の情報を更新する手段である。
【００３６】
要求取得部１３は、ナビゲーション装置Ｎからの試聴要求、店舗への案内要求等を取得する手段である。検索部１４は、受信した要求等に応じて、データベース１６から必要なデータを検索する手段である。データ出力部１５は、検索部１４により検索されたデータを、通信部１０に出力する手段である。
【００３７】
データベース１６には、新譜情報テーブル、在庫リスト、店舗リスト、試聴用データ等が格納されている。新譜情報テーブルは、図５に示すように、楽曲を識別するＩＤ、楽曲のタイトル、楽曲の試聴用データ名、楽曲の在庫リスト名から成るテーブルである。在庫リストは、楽曲ごとに用意され、店舗を識別する店舗識別情報、その店舗におけるその楽曲の在庫数を格納したテーブルである。店舗リストは、店舗識別情報、その店舗の地図上の位置情報（座標）を格納したテーブルである。試聴用データは、上記のように、例えば、楽曲のイントロ、サビを抜き出したデータであり、データ名（ｓａｍｐｌｅ１等）が付与されている。
【００３８】
［１−４．店舗サーバ２００の構成］
店舗サーバ２００は、図２に示すように、各店舗Ａ，Ｂ，Ｃ…（その数は問わない）において管理するサーバであり、通信部２０、検索部２１、データ出力部２２及びデータベース２３等によって構成されている。通信部２０は、通信ネットワークを介して、配信サーバ１００との通信を行う手段である。検索部２１は、新譜の在庫データを検索する手段である。データ出力部２２は、検索された在庫データ及び店舗識別データを出力する手段である。これらの在庫データ及び店舗識別データは、データベース２３に格納されている。在庫データは、店舗のＰＯＳシステムを用いることにより、常時更新されている。
【００３９】
［２．作用］
以上のような本実施形態による試聴用データの再生及び最寄店舗への誘導処理の一例を、図３のシーケンス図に従って説明する。まず、配信サーバ１００においては、データ取得部１１が、店舗サーバ２００から定期的に送信されてくる新譜の在庫データを取得し、これに基づいて、更新部１２がデータベース１６の新譜情報テーブル及び在庫リストを更新する。そして、配信サーバ１００は、新譜情報テーブルに基づいて、検索部１４が検索してデータ出力部１５が出力する新譜リスト（新譜の楽曲ＩＤ、タイトル等）を、定期的にナビゲーション装置Ｎへ配信する。
【００４０】
ナビゲーション装置Ｎにおいては、新譜リストを受信すると、表示制御部４４がディスプレイ６に、図４に示すような新譜リスト画面を表示させる。この新譜リスト画面において、ユーザＵが操作入力部８を用いて、楽曲（例えば、ＩＤ：楽曲１、タイトル"○○○")を指定し、「試聴する」キーを選択すると、指定された楽曲の試聴用データ取得要求が、要求出力部４６から出力され、ナビゲーション装置Ｎから配信サーバ１００へ送信される。なお、新譜の数が多い場合には、スクロールすることにより、表示数を超えたものも表示させて選択することができる。
【００４１】
配信サーバ１００においては、受信した試聴用データ取得要求を要求取得部１３が取得して、検索部１４が、新譜情報テーブルに基づいて、当該楽曲の試聴用データ（例えば、ｓａｍｐｌｅ１）を検索し、これがデータ出力部１５により出力され、ナビゲーション装置Ｎヘ送信される。
【００４２】
ナビゲーション装置Ｎにおいては、受信した試聴用データをデータ取得部４７が取得し、これを基に再生部４８が再生するので、スピーカ７から試聴用音声が出力される。例えば、楽曲の一部(イントロ、サビ等)を聴くことができる。さらに、ユーザＵが、操作入力部８を用いて、楽曲を指定して、「最寄の店舗へ行く」キーを選択すると、要求出力部４６が、最寄店舗情報要求をナビゲーション装置Ｎの現在位置とともに出力し、これが配信サーバ１００へ送信される。
【００４３】
配信サーバ１００においては、要求取得部１３が、受信した当該要求と現在位置情報を取得し、検索部１４が、指定された楽曲に対する在庫リスト（例えば、在庫リスト１）、店舗リスト及び現在位置に基づいて、当該在庫リストに含まれる店舗であって、現在位置に最も近いものを検索する。検索により最寄店舗が決定したら、データ出力部１５によって、その位置が最寄店舗情報として出力され、ナビゲーション装置Ｎへ送信される。
【００４４】
ナビゲーション装置Ｎにおいては、データ取得部４７が、受信した最寄店舗情報を取得すると、その店舗が目的地設定部４１により目的地として設定され、経路設定部４２によって経路探索が行われ、案内制御部４３、表示制御部４４等によって、その店舗までの案内が行われる。
【００４５】
［３．効果］
以上のような本実施形態によれば、ナビゲーション装置Ｎにおいては、試聴用としてあらかじめ用意されたイントロやサビ等の試聴用データを受信して、これを試聴すればよいので、ユーザＵは課金等の心配なく、気軽に試聴できる。また、配信サーバ１００側でも、試聴用データをあらかじめ用意しておくことにより、送信の都度、データ量の低減処理や試聴時間の計測処理等を行う必要はない。最終的な購入は、店舗で行うことを前提としているため、ネットワークを介した課金処理も不要である。
【００４６】
また、ユーザＵは、リスト表示された新譜リストの中から所望のものを選択することができるので、数多くのデータから、簡単且つ確実に目的のデータを試聴できる。試聴用データは、例えば、元のデータのイントロやサビといった短い情報に限定することにより、送受信するデータ量が少なくなり、数多くのデータの中から、次々と切り替えて試聴することができる。このような切り替えにおいても、リスト表示から選択することは便利となる。
【００４７】
さらに、ユーザＵは、試聴した後に、所望のものを指定すれば、その新譜を入手可能な店舗への案内を受けることができる。従って、所望の新譜を確実に入手できる店舗まで、容易に辿り着くことができる。店舗側でも、広告的な効果があり、顧客誘導による販売促進に繋がるので、在庫情報を積極的に提供して協力することになる。
【００４８】
［４．他の実施形態］
なお、本発明は上記実施形態に限定されるものではない。例えば、視聴用データとして配信を受けるものは、新譜には限らない。例えば、特定のジャンルのものでも、売れ筋のものでもよい。視聴用データ、購入する記録媒体についても、特定のものには限定されない。例えば、楽曲ではない音声データであってもよい。
【００４９】
ビデオやＤＶＤ等の映像を記録した媒体を対象とすることもできる。この場合には、視聴用データとして、プロモーション用の映像と音声を提供してもよいが、安全性の観点から、音声のみとしてもよい。配信されたデータに映像と音声が含まれている場合に、自動的に音声のみを再生するように設定してもよい。
【００５０】
視聴用データを選択する方法、選択のためのインタフェース等は、上述のものには限定されない。例えば、あらかじめ新譜リスト表示とともに、そのいずれかが自動的に選択されて視聴要求をするように設定しておき、ユーザが「次へ」のキーを選択することにより、順次、次の曲が再生されていくようにしてもよい。マイクからの音声入力に従って、上記のような各種の指定・選択がなされるようにしてもよい。
【００５１】
また、視聴用データの作成は、配信サーバにて行ってもよいし、あらかじめレコード会社等において製作されたものを、配信サーバにおいてダウンロードしておいてもよい。視聴用データは、イントロ、サビの部分とする他、冒頭若しくは中間の所定秒で区切ったものとしてもよい。複数の視聴用データを一括でダウンロードして、視聴できるようにしてもよい。視聴用データを完全にダウンロードするのではなく、ストリーミング配信を受ける態様でもよい。
【００５２】
在庫データに関しては、更新時間についてのデータも含めることにより、現在時刻と更新時間とを比較して、所定の間隔が空いている場合には、配信サーバ側から更新要求を送信するように設定してもよい。
【００５３】
ナビゲーション装置Ｎで取得した店舗は、最終目的地としてではなく、経由地として設定してもよい。なお、既に設定された経路を案内中の場合には、その経路中に存在する店舗を優先して案内してもよい。また、単に現在位置に近い店舗ではなく、走行方向から判断して、反対方向にあるものは除外して案内してもよい。
【００５４】
さらに、本発明は、車内にナビゲーション用のデータを置くいわゆるオンボード型ではなく、無線通信ネットワークを介して、最新のデータの提供を受けることができるいわゆるオフボード型のナビゲーションシステムにも適用可能である。この場合、通信ネットワークを介して接続される車外のサーバ等が、上記の処理の全部若しくは一部を行うことができ、処理結果を車内のコンピュータが取得することにより、車内における処理負担を軽減させることができる。なお、本発明は、車載用には限定されず、他の移動手段や携帯用のナビゲーションにも適用可能である。
【図面の簡単な説明】
【００５５】
【図１】本発明の一実施形態におけるナビゲーション装置の構成を示す機能ブロック図である。
【図２】図１の一実施形態における配信サーバ及び店舗サーバの構成を示す機能ブロック図である。
【図３】図１の実施形態におけるナビゲーション装置、配信サーバ、店舗サーバの処理手順を示すシーケンス図である。
【図４】図１の実施形態における新譜リストの表示画面を示す説明図である。
【図５】図１の実施形態におけるデータベースのテーブル例を示す説明図である。
【符号の説明】
【００５６】
１…絶対位置・方位検出部
２…相対方位検出部
３…車速検出部
４…メインＣＰＵ及びその周辺回路
５…外部記憶装置
６…ディスプレイ
７…スピーカ
８…操作入力部
９…通信装置
１０，２０…通信部
１１…データ取得部
１２…更新部
１３…要求取得部
１４，２１…検索部
１５，２２…データ出力部
１６，２３…データベース
４０…現在位置検出部
４１…目的地設定部
４２…経路設定部
４３…案内制御部
４４…表示制御部
４５…指定部
４６…要求出力部
４７…データ取得部
４８…再生部
１００…配信サーバ
２００…店舗サーバ
【図１】
2007263920.tif 000003
【図２】
2007263920.tif 000004
【図３】
2007263920.tif 000005
【図４】
2007263920.tif 000006
【図５】
2007263920.tif 000007